【手続補正書】
【提出日】平成25年8月13日(2013.8.13)
【手続補正１】
【補正対象書類名】特許請求の範囲
【補正対象項目名】全文
【補正方法】変更
【補正の内容】
【特許請求の範囲】
【請求項１】
対象とする個人に、ディスカッション・フォーラムを参照させる電子システムであって、前記システムは、コンピューティング・デバイス内のプロセッサにより実行可能なコンピュータ可読命令として実装される統合アプリケーションに含まれ、
複数のディスカッション・トピックとして配置されたディスカッション・フォーラムを表示する第１のグラフィカル・ユーザ・インターフェースであって、前記複数のディスカッション・トピックのそれぞれは、前記ディスカッション・トピックに対応する、ユーザによって作成されるコンテンツの表示と結合している、前記第１のグラフィカル・ユーザ・インターフェースと、
前記第１のグラフィカル・ユーザ・インターフェースからナビゲート可能で、前記複数のディスカッション・トピックのうちのあるディスカッション・トピックに対応する、ユーザによって作成されるコンテンツを表示する、第２のグラフィカル・ユーザ・インターフェースであって、
複数の発言するユーザからの複数のメッセージ及び前記複数のメッセージのそれぞれに対応する前記発言するユーザの識別を含む、前記ユーザによって作成されるコンテンツの表示と、
前記ユーザによって作成されるコンテンツの表示における前記複数のメッセージにメッセージを追加するユーザ入力を受け取るユーザ返信端末と、
複数の対象とする個人を識別するユーザ入力を受け取るアドレス入力端末と
を含む、前記第２のグラフィカル・ユーザ・インターフェースと
を含み、
前記複数のメッセージのそれぞれを、前記システム内で、前記メッセージの主題に従って複数のトピック分野の間で自動的に分類し、
前記システムのユーザによって提供され、前記メッセージに対応する、フィードバックを、前記複数のメッセージのそれぞれに関する前記発言するユーザについて、追跡し、蓄積することを特徴とする、
システム。
【請求項２】
前記第１のグラフィカル・ユーザ・インターフェースがウェブサイト上に含まれていることを特徴とする、請求項１に記載のシステム。
【請求項３】
前記ウェブサイトは、前記複数のディスカッション・トピックに対応する、複数のウェブページを含み、さらに、前記複数のウェブページのうちの１つのウェブページは、前記第２のインターフェースに対応することを特徴とする、請求項２に記載のシステム。
【請求項４】
前記複数の対象とする個人に通知を配信し、前記通知は前記第２のグラフィカル・ユーザ・インターフェースへのリンクを含むことを特徴とする、請求項３に記載のシステム。
【請求項５】
前記リンクは、前記第２のインターフェースの前記ウェブページへのハイパーリンクを含むことを特徴とする、請求項４に記載のシステム。
【請求項６】
前記通知は電子メールで送られることを特徴とする、請求項４または５に記載のシステム。
【請求項７】
前記アドレス入力端末は、前記複数の対象とする個人に対応する複数の電子メール・アドレスをユーザ入力として受け取るように構成されることを特徴とする、請求項１に記載のシステム。
【請求項８】
対象とする個人に、ソーシャル・ネットワーク・インターフェース内のディスカッション・フォーラムを参照させる電子システムであって、前記ソーシャル・ネットワーク・インターフェースは、
ソーシャル・ネットワークのメンバーに対応する複数のユーザ・アカウントと、
複数のトピックを表示するディスカッション・フォーラム・インターフェースを含むディスカッション・フォーラムと、
前記複数のトピックに対応する複数のディスカッション・スレッドであって、前記ディスカッション・フォーラム・インターフェースに結合された複数のディスカッション・スレッド・インターフェースを含む、前記複数のディスカッション・スレッドと、
を含み、前記複数のディスカッション・スレッド・インターフェースのうちのディスカッション・スレッド・インターフェースは、
前記ディスカッション・スレッドに対応する複数のフォーラム・メッセージを表示し、かつ前記複数のフォーラム・メッセージに対応する複数のユーザ・アカウントを識別するスレッド表示であって、前記複数のフォーラム・メッセージは、ユーザによって作成されるコンテンツを含む、前記スレッド表示と、
フォーラム・メッセージを作成するためのユーザ入力を受け取る第１のグラフィカル・ユーザ・インターフェースであって、前記フォーラム・メッセージは、前記スレッド表示において前記複数のフォーラム・メッセージに追加される、前記第１のグラフィカル・ユーザ・インターフェースと、
前記ソーシャル・ネットワークの複数の特定されたメンバーを対象とするための第２のグラフィカル・ユーザ・インターフェースと、
を含み、
前記複数のメッセージのそれぞれに対応する前記ユーザ・アカウントについて、前記複数のフォーラム・メッセージの複数の閲覧するユーザによって提供されるフィードバックを追跡および蓄積し、
前記複数のディスカッション・スレッドに含まれる前記複数のフォーラム・メッセージのそれぞれを、前記システム内で、前記フォーラム・メッセージの主題に従って、前記複数のトピックの間で自動的に分類し、
さらに前記電子システムは、コンピューティング・システム内のプロセッサにより実行されるコンピュータ可読命令として実装される統合アプリケーションに含まれることを特徴とする、
システム。
【請求項９】
前記システムは、前記複数のユーザ・アカウントに対応する複数の電子メッセージ・インターフェースをさらに含むことを特徴とする、請求項８に記載のシステム。
【請求項１０】
前記ソーシャル・ネットワークの前記複数の特定されたメンバーに対応する前記複数のユーザ・アカウントに対して通知を配信し、前記通知の配信は、前記ソーシャル・ネットワークの前記複数の特定されたメンバーに対応する前記複数のユーザ・アカウントに対応する前記複数の電子メッセージ・インターフェースに対してなされることを特徴とする、請求項９に記載のシステム。
【請求項１１】
前記フォーラム・メッセージは、ウェブページへのハイパーリンクを含むことを特徴とする、請求項８に記載のシステム。
【請求項１２】
前記フォーラム・メッセージは、前記ソーシャル・ネットワークのメンバーによるアクセス可能な電子ファイルを含むことを特徴とする、請求項８に記載のシステム。
【請求項１３】
前記ソーシャル・ネットワークの承認されたメンバーに対してのみ、前記電子ファイルへのアクセスを許可することを特徴とする、請求項１２に記載のシステム。
【請求項１４】
前記ディスカッション・フォーラム・インターフェースは、新たなディスカッション・トピックに対応するユーザ入力を受け取るよう構成された第３のグラフィカル・ユーザ・インターフェースをさらに含み、さらに、前記ディスカッション・フォーラムに含まれる前記複数のディスカッション・スレッドに、前記新たなディスカッション・トピックに対応するようディスカッション・スレッドを加えることを特徴とする、請求項８に記載のシステム。
【請求項１５】
前記ソーシャル・ネットワークのメンバーは、前記ソーシャル・ネットワーク内で、専門知識の領域に関連付けられていることを特徴とする、請求項８に記載のシステム。
【請求項１６】
第１の専門知識の領域に対応するディスカッション・スレッドが、前記ディスカッション・フォーラムに含まれる前記複数のディスカッション・スレッドに加えられると、前記第１の専門知識の領域に関連付けられているメンバーに通知を自動的に送ることを特徴とする、請求項１５に記載のシステム。
【請求項１７】
第１の専門知識の領域に対応するフォーラム・メッセージがスレッドに加えられると、前記第１の専門知識の領域に関連付けられているメンバーに通知を自動的に送ることを特徴とする、請求項１５に記載のシステム。
【請求項１８】
前記システムは、
前記複数のユーザ・アカウントに対応する複数のサブ・ネットワーク
をさらに含み、
サブ・ネットワークは、前記複数のユーザ・アカウントのうちの特定のユーザ・アカウントに対応し、前記特定のユーザ・アカウントと、前記ソーシャル・ネットワーク内の他の複数ユーザ・アカウントの集合とを含むことを特徴とする、請求項８に記載のシステム。
【請求項１９】
前記複数のユーザ・アカウントのうちの第１のユーザ・アカウントによって、前記第１のユーザ・アカウントに対応する前記サブ・ネットワークに含まれる他のユーザ・アカウントの前記集合を定義可能であることを特徴とする、請求項１８に記載のシステム。
【請求項２０】
前記第１のユーザ・アカウントからの入力から成るフォーラム・メッセージが作成されるたびに、前記第１のユーザ・アカウントに対応する前記第１のサブ・ネットワーク内の他のユーザ・アカウントの前記集合に通知を自動的に配信することを特徴とする、請求項１９に記載のシステム。
【請求項２１】
前記第１のユーザ・アカウントからの入力から成るフォーラム・メッセージが作成されるたびに、前記第１のユーザ・アカウントによって定義される前記第１のサブ・ネットワーク内の複数の特定のユーザ・アカウントに通知を自動的に配信することを特徴とする、請求項１９に記載のシステム。
【請求項２２】
前記第１のユーザ・アカウントからの入力から成るフォーラム・メッセージが作成されるたびに、前記第１のサブ・ネットワーク内の前記複数の特定のユーザ・アカウントを前記第１のユーザ・アカウント内で動的に定義可能であることを特徴とする、請求項２１に記載のシステム。
【請求項２３】
第１のサブ・ネットワーク内の指定された複数のユーザ・アカウントに通知を自動的に配信し、前記指定された複数のユーザ・アカウントは、専門知識の領域に関連付けられていることを特徴とする、請求項１９に記載のシステム。
【請求項２４】
前記表示が、前記複数のメッセージの発言するユーザそれぞれに関するフィードバックの代表的な履歴の表示をさらに含むことを特徴とする、請求項１に記載のシステム。
【請求項２５】
発言するユーザの前記代表的な履歴を、前記発言するユーザによって発言されたメッセージに対応する追跡および蓄積されたフィードバックから計算することを特徴とする、請求項２４に記載のシステム。
【請求項２６】
発言するユーザの前記代表的な履歴を複数の統計として示すことを特徴とする、請求項２５に記載のシステム。
【請求項２７】
特定のユーザにディスカッション・スレッドを参照させる方法であって、前記方法は、
第１のグラフィカル・ユーザ・インターフェースに対してユーザによって生成される作動を検出するステップであって、前記第１のグラフィカル・ユーザ・インターフェースは、ディスカッション・フォーラムのディスカッション・スレッドを含み、前記ディスカッション・スレッドは、複数のメッセージを含むとともに、前記複数のメッセージに対応する複数の発言するユーザを識別する、検出するステップと、
前記ユーザによって生成される作動に応答して、電子メール・インターフェースを生成するステップと、
前記電子メール・インターフェースにおいて、電子メール・アドレスをユーザ入力として受け取るステップと、
前記第１のグラフィカル・ユーザ・インターフェースへのリファレンスを、前記電子メール・アドレスへ送るステップと、
前記複数のメッセージのそれぞれに関する前記発言するユーザについて前記複数のメッセージに対応するユーザ・フィードバックを追跡および蓄積するステップであって、前記フィードバックは、前記複数のメッセージの複数の閲覧するユーザによって提供される、追跡および蓄積するステップと、
を含み、
ディスカッション・スレッドを含む前記複数のメッセージのそれぞれは、前記ディスカッション・フォーラム内で前記メッセージの主題に従って複数のトピック分野の間で自動的に分類され、
前記検出するステップ、生成するステップ、受け取るステップ、および送るステップは、コンピューティング・デバイス上で実行される統合アプリケーションにおいて実行されることを特徴とする、方法。
【請求項２８】
前記ディスカッション・フォーラムは、ウェブサイト上でホストされることを特徴とする、請求項２７に記載の方法。
【請求項２９】
前記第１のグラフィカル・ユーザ・インターフェースは、前記ウェブサイトに含まれる第１のウェブページを含むことを特徴とする、請求項２８に記載の方法。
【請求項３０】
前記リファレンスは、前記第１のウェブページへのハイパーリンクを含むことを特徴とする、請求項２９に記載の方法。
【請求項３１】
前記統合アプリケーションは、ソーシャル・ネットワーク・アプリケーションを含むことを特徴とする、請求項２７に記載の方法。
【請求項３２】
前記方法は、
前記ソーシャル・ネットワーク・アプリケーションの複数の所定ユーザへ、リファレンスを自動的に送るステップ
をさらに含むことを特徴とする、請求項３１に記載の方法。
【請求項３３】
前記所定ユーザは、前記ソーシャル・ネットワーク・アプリケーションのユーザであって、前記ディスカッション・スレッドに対応するタイトル内のキーワードと、前記ディスカッション・スレッドに対応するフォーラム・メッセージに含まれる複数のキーワードとのうちの少なくとも１つに関連付けられている、前記ユーザを含むことを特徴とする、請求項３２に記載の方法。